(57)【要約】    【課題】      ＭＩＭＯ端末装置にむけて付加した遅延波成分の影響による非ＭＩＭＯ端末装置の受信チャネルの受信品質および共通高速パケットチャネル用の品質測定精度の劣化を抑制できるようにすること。    【解決手段】  ＭＰＤ対応端末判定部４２２は、共通パケットチャネル接続要求している端末装置が意図的に付加した遅延成分との組み合わせで時空間符号を形成して高い変調多値数の信号を伝送するマルチパスダイバーシチ対応のＭＩＭＯ端末装置であるか否かを判定する。共通パケットチャネル接続指示部４２３は、接続要求しているマルチパスダイバーシチ対応のＭＩＭＯ端末装置３００との共通パケットチャネル接続を指示する。拡散率変更指示部４２４は、接続要求している端末装置がマルチパスダイバーシチ対応のＭＩＭＯ端末装置３００である場合に、非ＭＩＭＯ端末装置２００に対して耐干渉能力を向上させるように拡散率の変更を指示する。  【選択図】      図４
2006080648.tif 000002
【特許請求の範囲】
【請求項１】
共通パケットチャネル接続要求している端末装置が意図的に付加した遅延成分との組み合わせで時空間符号を形成して高い変調多値数の信号を伝送するマルチパスダイバーシチ対応のＭＩＭＯ端末装置であるか否かを判定する判定手段と、
前記共通パケットチャネル接続要求している端末装置が前記マルチパスダイバーシチ対応のＭＩＭＯ端末装置である場合に、ＭＩＭＯ非対応の端末装置に対して耐干渉能力の向上を指示する指示手段と、
接続要求しているマルチパスダイバーシチ対応のＭＩＭＯ端末装置に対して共通パケットチャネル接続を指示する共通パケットチャネル接続手段と、を具備する無線ネットワーク装置。
【請求項２】
前記指示手段は、前記ＭＩＭＯ非対応の端末装置に対して拡散率を大きくするように指示を出す請求項１記載の無線ネットワーク装置。
【請求項３】
前記指示手段は、前記ＭＩＭＯ非対応の端末装置に対して目標ＳＩＲを大きくするように指示を出す請求項１記載の無線ネットワーク装置。
【請求項４】
請求項１から請求項３のいずれかに記載の無線ネットワーク装置の前記指示手段からの指示信号を受信する受信手段と、
前記指示信号の指示に従って前記耐干渉能力を向上させる処理を行う処理手段と、を具備する端末装置。
【請求項５】
共通パケットチャネル接続要求している端末装置が意図的に付加した遅延成分との組み合わせで時空間符号を形成して高い変調多値数の信号を伝送するマルチパスダイバーシチ対応のＭＩＭＯ端末装置であるか否かを判定する判定ステップと、
前記共通パケットチャネル接続要求している端末装置が前記マルチパスダイバーシチ対応のＭＩＭＯ端末装置である場合に、ＭＩＭＯ非対応の端末装置に対して耐干渉能力の向上を指示する指示ステップと、
接続要求しているマルチパスダイバーシチ対応のＭＩＭＯ端末装置との共通パケットチャネル接続を指示する共通パケットチャネル接続ステップと、を具備する無線通信方法。
【発明の詳細な説明】
【技術分野】
【０００１】
本発明は、ＭＩＭＯ(Multiple-Input Multiple-Output）端末装置と非ＭＩＭＯ端末装置とが混在する無線通信システムに使用される無線ネットワーク装置及び無線通信方法に関する。
【背景技術】
【０００２】
従来、ＤＳ−ＣＤＭＡ方式にて下り共通パケットチャネルを用いる伝送システムで、送受信側に複数のアンテナを備えることでＭＩＭＯ伝送路を形成し、高い最大伝送速度を実現する通信方式が知られている（例えば、非特許文献１参照）。
【０００３】
非特許文献１記載の通信方式は、具体的には、ＭＩＭＯにおけるＭＰＤ(Multi-path diversity)の技術を適用し、意図的に付加した遅延成分との組み合わせで時空間符号を形成して、高い変調多値数の信号を安定した品質で伝送することを可能とする。このＭＰＤの構成により、ＭＩＭＯ端末装置で観測されるフェージングがダイバーシチ効果を得られにくい環境（遅延波なし、あるいはアンテナ間で相関が大きい）で改善効果が大きい。
【非特許文献１】３ＧＰＰ−ＲＡＮ−Ｒ１−０４０１８６（Ｎｏｒｔｅｌ），“Ｒａｔｅ  ｃｏｎｔｒｏｌｌｅｄ  ＭＰＤ”，Ｆｅｂ．２００４
【発明の開示】
【発明が解決しようとする課題】
【０００４】
しかしながら、非特許文献１記載の通信方式を用いた無線通信システムにおいては、ＭＩＭＯ端末装置における性能改善を実現するために、ＭＰＤ（マルチパスダイバーシチ）なしであれば直交していたはずの送信信号について、あえて直交性を崩すことになる。
【０００５】
このため、この無線通信システムにおいては、他の端末装置のうち例えば見通し環境にある端末装置は、本来であれば高い直交性を保って基地局装置からの信号を受信できるはずであるのに、ＭＩＭＯ端末装置にむけて付加した遅延波成分のおかげで強い干渉を受けることになる。
【０００６】
このように、非特許文献１記載の通信方式を用いた無線通信システムにおいては、他の非ＭＩＭＯ端末装置における受信品質が劣悪となり、非ＭＩＭＯ端末装置が受信するチャネルの受信品質および共通高速パケットチャネル用の品質測定精度が大きく劣化するという問題があった。
【０００７】
本発明は、かかる点に鑑みてなされたもので、ＭＩＭＯ端末装置にむけて付加した遅延波成分の影響による非ＭＩＭＯ端末装置の受信チャネルの受信品質および共通高速パケットチャネル用の品質測定精度の劣化を抑制することができる無線ネットワーク装置及び無線通信方法を提供することを目的とする。
【課題を解決するための手段】
【０００８】
かかる課題を解決するため、本発明の無線ネットワーク装置は、共通パケットチャネル接続要求している端末装置が意図的に付加した遅延成分との組み合わせで時空間符号を形成して高い変調多値数の信号を伝送するマルチパスダイバーシチ対応のＭＩＭＯ端末装置であるか否かを判定する判定手段と、前記共通パケットチャネル接続要求している端末装置が前記マルチパスダイバーシチ対応のＭＩＭＯ端末装置である場合に、ＭＩＭＯ非対応の端末装置に対して耐干渉能力の向上を指示する指示手段と、接続要求しているマルチパスダイバーシチ対応のＭＩＭＯ端末装置に対して共通パケットチャネル接続を指示する共通パケットチャネル接続手段と、を具備する構成を採る。
【発明の効果】
【０００９】
本発明によれば、ＭＩＭＯ端末装置にむけて付加した遅延波成分の影響による非ＭＩＭＯ端末装置の受信チャネルの受信品質および共通高速パケットチャネル用の品質測定精度の劣化を抑制することができる。
【発明を実施するための最良の形態】
【００１０】
以下、本発明の実施の形態について、図面を参照して詳細に説明する。図１は、本発明の一実施の形態に係る無線ネットワーク装置を用いる無線通信システムの構成を示す概略構成図である。
【００１１】
図１に示すように、本実施の形態に係る無線ネットワーク装置を用いる無線通信システム１００は、非ＭＩＭＯ端末装置２００、ＭＩＭＯ端末装置３００、無線ネットワーク装置４００などで構成される。ここで、非ＭＩＭＯ端末装置２００は、単一のアンテナ２０１を備えたＭＩＭＯ非対応の端末装置である。また、ＭＩＭＯ端末装置３００は、複数のアンテナ３０１ａ，３０１ｂを備えたＭＩＭＯ対応の端末装置である。
【００１２】
まず、本実施の形態に係る無線通信システムにおける非ＭＩＭＯ端末装置について説明する。図２は、本実施の形態に係る無線通信システムにおける非ＭＩＭＯ端末装置の構成を示すブロック図である。
【００１３】
図２に示すように、無線通信システム１００における非ＭＩＭＯ端末装置２００は、アンテナ２０１、受信ＲＦ部２０２、受信信号復調部２０３、制御情報参照部２０４、チャネル接続制御部２０５、通信チャネル復号部２０６、参照信号観測部２０７、フィードバック情報生成部２０８、送信ＲＦ部２０９を備えている。
【００１４】
図２において、アンテナ２０１は、受信した受信信号を受信ＲＦ部２０２へ出力し、送信ＲＦ部２０９から入力された送信信号を送信する。
【００１５】
受信ＲＦ部２０２は、アンテナ２０１から入力された受信信号を無線周波数からベースバンド周波数にダウンコンバートして受信信号復調部２０３および制御情報参照部２０４に出力する。
【００１６】
制御情報参照部２０４は、受信ＲＦ部２０２から入力された受信信号より制御情報を抽出し、抽出した制御情報をチャネル接続制御部２０５に出力する。
【００１７】
チャネル接続制御部２０５は、制御情報参照部２０４から入力される制御情報に含まれる拡散率情報あるいは目標ＳＩＲ（Signal to Interference Ratio）情報等を受信信号復調部２０３へ出力する。
【００１８】
受信信号復調部２０３は、チャネル接続制御部２０５から入力された拡散率情報あるいは目標ＳＩＲ情報等を参照して、受信ＲＦ部２０２から入力された受信信号を逆拡散して復調する。そして、受信信号復調部２０３は、復調した受信信号のうちの通信チャネルの受信データを通信チャネル復号部２０６へ出力し、復調した受信信号のうちの参照信号を参照信号観測部２０７へ出力する。なお、参照信号とは、例えば、送受信側で既知の共通パケットチャネルである。
【００１９】
通信チャネル復号部２０６は、受信信号復調部２０３から入力される復調された通信チャネルの受信データをターボ復号等により復号して復号データ得る。
【００２０】
参照信号観測部２０７は、受信信号復調部２０３から入力された参照信号を用いて伝搬状況を観測する。そして、参照信号観測部２０７は、観測した伝搬状況を示す情報である回線品質情報を生成し、生成した回線品質情報をフィードバック情報生成部２０８へ出力する。
【００２１】
フィードバック情報生成部２０８は、遅延プロファイルを生成し遅延スプレッドを検出して遅延スプレッド情報を生成する。そして、フィードバック情報生成部２０８は、参照信号観測部２０７から入力された回線品質情報および生成した遅延スプレッド情報をフィードバック情報として送信ＲＦ部２０９へ出力する。ここで、フィードバック情報生成部２０８は、最大ドップラー周波数を検出して最大ドップラー周波数情報をフィードバック情報として生成するようにしてもよい。また、フィードバック情報生成部２０８は、自セル他セル干渉比を測定して自セル他セル干渉比情報をフィードバック情報として生成するようにしてもよい。また、フィードバック情報生成部２０８は、緊急度の情報をフィードバック情報として生成するようにしてもよい。
【００２２】
送信ＲＦ部２０９は、フィードバック情報生成部２０８から入力されたフィードバック情報をベースバンド周波数から無線周波数へアップコンバートしてアンテナ２０１へ出力する。
【００２３】
次に、本実施の形態に係る無線ネットワーク装置を用いる無線通信システムにおけるＭＩＭＯ端末装置について説明する。図３は、本実施の形態に係る無線ネットワーク装置を用いる無線通信システムにおけるＭＩＭＯ端末装置の構成を示すブロック図である。
【００２４】
図３に示すように、無線通信システム１００におけるＭＩＭＯ端末装置３００は、複数のアンテナ３０１ａ，３０１ｂ、各アンテナ３０１ａ，３０１ｂに対応した受信ＲＦ部３０２ａ，３０２ｂ、受信信号復調部３０３、制御情報参照部３０４、チャネル接続制御部３０５、通信チャネル復号部３０６、参照信号観測部３０７、フィードバック情報生成部３０８、各アンテナ３０１ａ，３０１ｂに対応した送信ＲＦ部３０９ａ，３０９ｂ、ＭＰＤ受信処理部３１０を備えている。
【００２５】
図３において、各アンテナ３０１ａ，３０１ｂは、受信した受信信号を各受信ＲＦ部３０２ａ，３０２ｂへそれぞれ出力し、各送信ＲＦ部３０９ａ，３０９ｂから入力された送信信号をそれぞれ送信する。
【００２６】
各受信ＲＦ部３０２ａ，３０２ｂは、各アンテナ３０１ａ，３０１ｂから入力されたそれぞれの受信信号を無線周波数からベースバンド周波数にダウンコンバートしてＭＰＤ受信処理部３１０および制御情報参照部３０４に出力する。
【００２７】
制御情報参照部３０４は、各受信ＲＦ部３０２ａ，３０２ｂから入力された受信信号より制御情報を抽出し、抽出した制御情報をチャネル接続制御部３０５に出力する。
【００２８】
チャネル接続制御部３０５は、制御情報参照部３０４から入力される制御情報に含まれる拡散率情報および目標ＳＩＲ情報等をＭＰＤ受信処理部３１０および受信信号復調部３０３へ出力する。
【００２９】
ＭＰＤ受信処理部３１０は、各受信ＲＦ部３０２ａ，３０２ｂから入力された受信信号のうちの信号強度の大きい方の受信信号を適時選択し、選択した受信信号を受信信号復調部３０３へ出力する。
【００３０】
受信信号復調部３０３は、チャネル接続制御部３０５から入力された拡散率情報および目標ＳＩＲ情報等を参照して、ＭＰＤ受信処理部３１０から入力された受信信号を逆拡散して復調する。そして、受信信号復調部３０３は、復調した受信信号のうちの通信チャネルの受信データを通信チャネル復号部３０６へ出力し、復調した受信信号のうちの参照信号を参照信号観測部３０７へ出力する。
【００３１】
通信チャネル復号部３０６は、受信信号復調部３０３から入力される復調された通信チャネルの受信データをターボ復号等により復号して復号データ得る。
【００３２】
参照信号観測部３０７は、受信信号復調部３０３から入力された参照信号を用いて伝搬状況を観測する。そして、参照信号観測部３０７は、観測した伝搬状況を示す情報である回線品質情報を生成し、生成した回線品質情報をフィードバック情報生成部３０８へ出力する。
【００３３】
フィードバック情報生成部３０８は、遅延プロファイルを生成し遅延スプレッドを検出して遅延スプレッド情報を生成する。そして、フィードバック情報生成部３０８は、参照信号観測部３０７から入力された回線品質情報および生成した遅延スプレッド情報をフィードバック情報として各送信ＲＦ部３０９ａ，３０９ｂへそれぞれ出力する。ここで、フィードバック情報生成部３０８は、最大ドップラー周波数を検出して最大ドップラー周波数情報をフィードバック情報として生成するようにしてもよい。また、フィードバック情報生成部３０８は、自セル他セル干渉比を測定して自セル他セル干渉比情報をフィードバック情報として生成するようにしてもよい。また、フィードバック情報生成部３０８は、緊急度の情報をフィードバック情報として生成するようにしてもよい。
【００３４】
各送信ＲＦ部３０９ａ，３０９ｂは、フィードバック情報生成部３０８から入力されたフィードバック情報をベースバンド周波数から無線周波数へそれぞれアップコンバートして対応する各アンテナ３０１ａ，３０１ｂへ出力する。
【００３５】
次に、本実施の形態に係る無線ネットワーク装置について説明する。図４は、本実施の形態に係る無線ネットワーク装置の構成を示すブロック図である。
【００３６】
図４に示すように、無線通信システム１００における無線ネットワーク装置４００は、ネットワーク側送受信部４１０と、無線リソース管理部４２０とで構成されている。ネットワーク側送受信部４１０は、アンテナ４１１ａ，４１１ｂ、受信ＲＦ部４１２ａ，４１２ｂ、受信信号復調部４１３、送信信号生成部４１４、送信ＲＦ部４１５ａ，４１５ｂを備えている。無線リソース管理部４２０は、チャネル接続要求取り出し部４２１、ＭＰＤ対応端末判定部４２２、共通パケットチャネル接続指示部４２３、拡散率変更指示部４２４を備えている。
【００３７】
図４において、ネットワーク側送受信部４１０のアンテナ４１１ａ，４１１ｂは、受信した受信信号を受信ＲＦ部４１２ａ，４１２ｂへ出力し、送信ＲＦ部４１５ａ，４１５ｂから入力された送信信号を送信する。
【００３８】
受信ＲＦ部４１２ａ，４１２ｂは、アンテナ４１１ａ，４１１ｂから入力された受信信号を無線周波数からベースバンド周波数にダウンコンバートして受信信号復調部４１３に出力する。
【００３９】
受信信号復調部４１３は、受信ＲＦ部４１２ａ，４１２ｂから入力された受信信号を逆拡散して復調し、復調した受信信号のうちの通信チャネルの受信データを無線リソース管理部４２０のチャネル接続要求取り出し部４２１へ出力する。
【００４０】
無線リソース管理部４２０のチャネル接続要求取り出し部４２１は、ネットワーク側送受信部４１０の受信信号復調部４１３から入力される復調された通信チャネルの受信データに含まれている共通パケットチャネル接続要求信号を取り出し、取り出した共通パケットチャネル接続要求信号をＭＰＤ対応端末判定部４２２および共通パケットチャネル接続指示部４２３へ出力する。
【００４１】
ＭＰＤ対応端末判定部４２２は、チャネル接続要求取り出し部４２１から入力された共通パケットチャネル接続要求信号により接続要求している端末装置がＭＰＤ対応のＭＩＭＯ端末装置３００であるか否かを判定する。そして、ＭＰＤ対応端末判定部４２２は、接続要求している端末装置がマルチパスダイバーシチ対応のＭＩＭＯ端末装置３００であることを検出した場合に、その旨の検出信号を拡散率変更指示部４２４へ出力する。
【００４２】
拡散率変更指示部４２４は、ＭＰＤ対応端末判定部４２２から入力される検出信号を受けて、接続済みの非ＭＩＭＯ端末装置２００について拡散率を変更して耐干渉能力を向上させるように、拡散率変更指示信号をネットワーク側送受信部４１０の送信信号生成部４１４へ出力する。
【００４３】
共通パケットチャネル接続指示部４２３は、接続要求しているマルチパスダイバーシチ対応のＭＩＭＯ端末装置３００との共通パケットチャネル接続を指示する共通パケットチャネル接続指示信号をネットワーク側送受信部４１０の送信信号生成部４１４へ出力する。
【００４４】
送信信号生成部４１４は、拡散率変更指示部４２４から入力される拡散率変更指示信号、および共通パケットチャネル接続指示部４２３から入力される共通パケットチャネル接続指示信号を含めた送信信号を生成し、生成した送信信号を送信ＲＦ部４１５ａ，４１５ｂへ出力する。
【００４５】
送信ＲＦ部４１５ａ，４１５ｂは、送信信号生成部４１４から入力された送信信号をベースバンド周波数から無線周波数へアップコンバートしてアンテナ４１１ａ，４１１ｂへ出力する。
【００４６】
次に、本実施の形態に係る無線ネットワーク装置を用いる無線通信システムの動作について説明する。図５は、本実施の形態に係る無線通信システムの動作を示すシーケンス図である。
【００４７】
図５において、無線ネットワーク装置４００は、各無線端末装置からの接続要求を受け付ける。ここで、非ＭＩＭＯ端末装置２００が個別チャネルを接続しているとする（ステップＳ５０１）。この状態で、マルチパスダイバーシチ対応のＭＩＭＯ端末装置３００が無線ネットワーク装置４００のネットワーク側送受信部４１０に対して、共通パケットチャネル接続要求を行ったとする（ステップＳ５０２）。
【００４８】
この場合には、まず、ネットワーク側送受信部４１０が無線リソース管理部４２０に共通パケットチャネル接続要求を行う（ステップＳ５０３）。これを受けて、無線リソース管理部４２０は、共通パケットチャネル接続要求しているＭＩＭＯ端末装置がマルチパスダイバーシチ対応のＭＩＭＯ端末装置３００であるかどうか前述したＭＰＤ対応端末判定部４２２により判断する（ステップＳ５０４）。
【００４９】
ここで、共通パケットチャネル接続要求しているＭＩＭＯ端末装置がマルチパスダイバーシチ対応でない場合には、そのまま共通パケットチャネル接続要求しているＭＩＭＯ端末装置とネットワーク側送受信部４１０との無線リンクを確立する（不図示）。
【００５０】
一方、ＭＰＤ対応端末判定部４２２により、共通パケットチャネル接続要求しているＭＩＭＯ端末装置がマルチパスダイバーシチ対応のＭＩＭＯ端末装置３００であると判断された場合には、無線リソース管理部４２０からネットワーク側送受信部４１０へ耐干渉能力向上の指示を出す（ステップＳ５０５）。具体的には、図４に示したように、無線リソース管理部４２０の拡散率変更指示部４２４から拡散率変更指示信号をネットワーク側送受信部４１０の送信信号生成部４１４へ出力する。
【００５１】
この指示を受けて、ネットワーク側送受信部４１０は、接続済みの非ＭＩＭＯ端末装置２００へ耐干渉能力向上の指示を出す（ステップＳ５０６）。非ＭＩＭＯ端末装置２００は、この耐干渉能力向上の指示への応答をする（ステップＳ５０７）。
【００５２】
これを受けて、ネットワーク側送受信部４１０では、非ＭＩＭＯ端末装置２００と制御情報をやり取りして、耐干渉能力を向上させるように無線リンクを再構築する（ステップＳ５０８）。これにより、接続済みの非ＭＩＭＯ端末装置２００における拡散率が変更され、この非ＭＩＭＯ端末装置２００の耐干渉能力が向上される。
【００５３】
このステップＳ５０８での無線リンク再構築の後、ネットワーク側送受信部４１０は、無線リソース管理部４２０に、耐干渉能力向上の対応が完了した旨を応答する（ステップＳ５０９）。
【００５４】
無線リソース管理部４２０では、ネットワーク側送受信部４１０から耐干渉能力向上の対応完了応答を受け取った後に、ＭＩＭＯ端末装置３００との共通パケットチャネル接続を開始するようネットワーク側送受信部４１０に指示する（ステップＳ５１０）。
【００５５】
ネットワーク側送受信部４１０は、無線リソース管理部４２０からの共通パケットチャネル接続指示を受けて、ＭＩＭＯ端末装置３００に共通パケットチャネル接続の許可を出す（ステップＳ５１１）。これにより、ネットワーク側送受信部４１０とＭＩＭＯ端末装置３００との無線リンク構築の手続きが進められる（ステップＳ５１２）。
【００５６】
ネットワーク側送受信部４１０は、ステップＳ５１２での無線リンク構築が完了した後、その旨を無線リソース管理部４２０に応答し（ステップＳ５１３）、ＭＩＭＯ端末装置３００に共通パイロット信号を送信する（ステップＳ５１４）。
【００５７】
これにより、ＭＩＭＯ端末装置３００は、ネットワーク側送受信部４１０より送信される共通パイロット信号を用いて受信信号の受信品質を測定し、測定した受信品質をネットワーク側送受信部４１０に報告する（ステップＳ５１５）。
【００５８】
これを受けて、ネットワーク側送受信部４１０では、ＭＩＭＯ端末装置３００から報告された受信品質に基づいて適応変調を行い、マルチパスダイバーシチを用いるフレームで共通パケットチャネルを送信する（ステップＳ５１６）。ＭＩＭＯ端末装置３００は、受信した共通パケットチャネルの復調結果をネットワーク側送受信部４１０に報告する（ステップＳ５１７）。
【００５９】
ところで、上述の無線通信システム１００においては、共通パケットチャネル接続要求しているＭＩＭＯ端末装置がマルチパスダイバーシチ対応のＭＩＭＯ端末装置３００であると判断された場合に、無線リソース管理部４２０からネットワーク側送受信部４１０へ耐干渉能力向上の指示を出す指示手段として、無線リソース管理部４２０の拡散率変更指示部４２４からネットワーク側送受信部４１０の送信信号生成部４１４へ拡散率変更指示信号を出力するようにしている。
【００６０】
このように、この無線通信システム１００においては、拡散率を大きくすることによって非ＭＩＭＯ端末装置２００の耐干渉能力を向上させるようにしているが、非ＭＩＭＯ端末装置２００の耐干渉能力を向上させる他の方法としては、非ＭＩＭＯ端末装置２００における目標ＳＩＲを大きくするようにしてもよい。
【００６１】
図６は、非ＭＩＭＯ端末装置２００における目標ＳＩＲを大きくして非ＭＩＭＯ端末装置２００の耐干渉能力を向上させるようにした無線ネットワーク装置の構成を示すブロック図である。なお、図６に示す無線ネットワーク装置６００おいて、図４に示した無線ネットワーク装置４００と同一の構成要素には同一符号を付してその説明を省略する。
【００６２】
図６に示すように、この無線ネットワーク装置６００は、耐干渉能力向上の指示を出す指示手段として、無線ネットワーク装置４００の拡散率変更指示部４２４の代わりである目標ＳＩＲ変更指示部６０１を備えている。
【００６３】
図６において、無線ネットワーク装置６００においては、ＭＰＤ対応端末判定部４２２により、共通パケットチャネル接続要求しているＭＩＭＯ端末装置がマルチパスダイバーシチ対応のＭＩＭＯ端末装置３００であると判断された場合に、無線リソース管理部４２０からネットワーク側送受信部４１０へ耐干渉能力向上の指示を出す。
【００６４】
具体的には、無線リソース管理部４２０の目標ＳＩＲ変更指示部６０１から目標ＳＩＲ変更指示信号をネットワーク側送受信部４１０の送信信号生成部４１４へ出力する。
【００６５】
この指示を受けて、ネットワーク側送受信部４１０は、接続済みの非ＭＩＭＯ端末装置２００へ耐干渉能力向上の指示を出す（ステップＳ５０６参照）。非ＭＩＭＯ端末装置２００は、この耐干渉能力向上の指示への応答をする（ステップＳ５０７参照）。
【００６６】
これを受けて、ネットワーク側送受信部４１０では、非ＭＩＭＯ端末装置２００と制御情報をやり取りして、耐干渉能力を向上させるように無線リンクを再構築する（ステップＳ５０８参照）。これにより、接続済みの非ＭＩＭＯ端末装置２００における目標ＳＩＲが変更され、この非ＭＩＭＯ端末装置２００の耐干渉能力が向上される。
【産業上の利用可能性】
【００６７】
本発明は、ＭＩＭＯ端末装置にむけて付加した遅延波成分の影響による非ＭＩＭＯ端末装置の受信チャネルの受信品質および共通高速パケットチャネル用の品質測定精度の劣化を抑制することができるので、ＭＩＭＯ端末装置と非ＭＩＭＯ端末装置とが混在した無線通信システムに用いる場合に有用である。
【図面の簡単な説明】
【００６８】
【図１】本発明の一実施の形態に係る無線ネットワーク装置を用いる無線通信システムの構成を示す概略構成図
【図２】本発明の一実施の形態に係る無線ネットワーク装置を用いる無線通信システムにおける非ＭＩＭＯ端末装置の構成を示すブロック図
【図３】本発明の一実施の形態に係る無線ネットワーク装置を用いる無線通信システムにおけるＭＩＭＯ端末装置の構成を示すブロック図
【図４】本発明の一実施の形態に係る無線ネットワーク装置の構成を示すブロック図
【図５】本発明の一実施の形態に係る無線ネットワーク装置を用いる無線通信システムの動作を示すシーケンス図
【図６】本発明の一実施の形態に係る無線ネットワーク装置の他の構成を示すブロック図
【符号の説明】
【００６９】
１００  無線通信システム
２００  非ＭＩＭＯ端末装置
２０１，３０１ａ，３０１ｂ，４１１ａ，４１１ｂ  アンテナ
２０２，３０２ａ，３０２ｂ，４１２ａ，４１２ｂ  受信ＲＦ部
２０３，３０３，４１３  受信信号復調部
２０４，３０４  制御情報参照部
２０５，３０５  チャネル接続制御部
２０６，３０６  通信チャネル復号部
２０７，３０７  参照信号観測部
２０８，３０８  フィードバック情報生成部
２０９，３０９ａ，３０９ｂ，４１５ａ，４１５ｂ  送信ＲＦ部
３００  ＭＩＭＯ端末装置
３１０  ＭＰＤ受信処理部
４００，６００  無線ネットワーク装置
４１０  ネットワーク側送受信部
４１４  送信信号生成部
４２０  無線リソース管理部
４２１  チャネル接続要求取り出し部
４２２  ＭＰＤ対応端末判定部
４２３  共通パケットチャネル接続指示部
４２４  拡散率変更指示部
６０１  目標ＳＩＲ変更指示部
【図１】
2006080648.tif 000003
【図２】
2006080648.tif 000004
【図３】
2006080648.tif 000005
【図４】
2006080648.tif 000006
【図５】
2006080648.tif 000007
【図６】
2006080648.tif 000008